(57)【要約】      （修正有）【課題】床暖房ユニットと制振遮音材を併用した床構造体において，床暖房使用時に制振遮音材からの揮発性有機物質を封緘することにより放散させることなく，快適な空気質環境を提供する。【解決手段】床暖房ユニット１の下面側に制振遮音材３が位置する床の構造において，床暖房ユニット１と制振遮音材３の間に，制振遮音材が放散する揮発性有機物質を封緘できるシート２を介在することを特徴とする床構造とする。また，予め制振材３表面に，それから発生する揮発性有機物質を抑制するシート２を積層した制振材３を使用する。また，前記した制振材３間に，揮発性有機物質を封緘できるシート２を基材としたテープを貼ることにより，より揮発性化学物質が封緘できる。【選択図】図１
2011179277.tif 000002
【特許請求の範囲】
【請求項１】
少なくとも床暖房ユニットの下面側に制振遮音材が位置する床の構造において，床暖房ユニットと制振遮音材の間に，制振遮音材が放散する揮発性有機物質を封緘できるシートを介在することを特徴とする床構造。
【請求項２】
制振遮音材の表面に，制振遮音材が放散する揮発性有機物質を封緘できるシートを積層していることを特徴とする制振遮音材。
【請求項３】
前記制振遮音材が放散する揮発性有機物質を封緘できるシートが，金属箔または金属を蒸着した樹脂フィルムあるいはガスバリア性を有する樹脂被膜であることを特徴とする請求項２記載の制振遮音材。
【請求項４】
前記制振遮音材が，アスファルトをバインダーとすることを特徴とする請求項２または３記載の制振遮音材。
【請求項５】
少なくとも床暖房ユニットの下面側に制振遮音材が位置する床の施工方法について，制振遮音材が放散する揮発性有機物質を封緘できるシートを積層した制振遮音材を突付けで施工し，制振遮音材間の突付け部に，金属箔または金属を蒸着した樹脂フィルムあるいはガスバリア性を有する樹脂被膜裏面に粘着剤を塗布したテープを貼着することを特徴とする床の施工方法。
【発明の詳細な説明】
【技術分野】
【０００１】
本発明は、床暖房ユニットの下面側に制振遮音材が位置する床構造および施工方法とこれに用いる制振遮音材に関するものである。      
【背景技術】
【０００２】
床暖房ユニットの下面側に制振遮音材が位置する床構造において、従来技術として特許文献１に暖房可能な床構造およびその施工方法が開示されている。特許文献１には、建築物の既存床にビス止めや釘打ちを行わないで施工できる暖房可能な床構造および施工方法であり、特に床暖房パネル下面に高比重シートを取り付ける工程があり、取り付け作業時に、床暖房パネルと高比重シートの間に紙類、樹脂製フィルム、金属箔およびこれらを組み合わせた仕切薄板を敷き込み、床暖房パネルと高比重シートを仮合わせした後、仕切薄板を取り除き、床暖房パネルと高比重シートを固定する施工方法が記載されている。また、床暖房ユニットと制振遮音材の間に合板を介在させ、床暖房ユニットの熱を直接、制振遮音材に伝えないようにする方法もある。
【先行技術文献】
【特許文献】
【０００３】
【特許文献１】特開２００５−３３０７９２号
【発明の概要】
【発明が解決しようとする課題】
【０００４】
一般的に、材料の放散する揮発性有機物質は、室温での揮発性有機物質の放散速度と比較し、温度が上昇すると放散速度が急激に速くなる傾向がある。
例えば、温水式の床暖房ユニットの場合、下面側で約４５℃となるため制振遮音材に、その熱が伝わり、制振遮音材が放散する揮発性有機物質の放散速度が速くなり、居住室内における揮発性有機物質量が増加し、空気質環境が悪化する問題があった。また、床暖房ユニットと制振遮音材の間に１２ｍｍの合板を介在させた場合においても、床暖房ユニットを動作させ時間が経過すると制振遮音材に約４０℃の熱が伝わる場合があり、前記同様の問題が発生する。
【０００５】
本発明は前記した問題点を解決し、床暖房ユニット動作時においても、制振遮音材から発生する揮発性有機物質を封緘することにより、居住室内の空気質環境の悪化を防止し、かつ、階下に対する床衝撃音を低減させることを課題とする。
【課題を解決するための手段】
【０００６】
上記課題を解決するため、少なくとも床暖房ユニットの下面側に制振遮音材が位置する床の構造において、床暖房ユニットと制振遮音材の間に、制振遮音材が放散する揮発性有機物質を封緘できるシートを介在することを特徴とする。
【０００７】
制振遮音材の表面に、制振遮音材が放散する揮発性有機物質を封緘できるシートを積層していることを特徴とする制振遮音材である。
【０００８】
前記制振遮音材が放散する揮発性有機物質を封緘できるシートが、金属箔または金属を蒸着した樹脂フィルムあるいはガスバリア性を有する樹脂被膜であることを特徴とする制振遮音材である。
【０００９】
前記制振遮音材が、アスファルトをバインダーとすることを特徴とする制振遮音材である。
【００１０】
少なくとも床暖房ユニットの下面側に制振遮音材が位置する床の施工方法について、制振遮音材が放散する揮発性有機物質を封緘できるシートを予め積層した制振遮音材を突付けで施工し、制振遮音材間の突付け部に、金属箔または金属を蒸着した樹脂フィルムあるいはガスバリア性を有する樹脂被膜裏面に粘着剤を塗布したテープを貼着することを特徴とする。
【発明の効果】
【００１１】
本発明は、床暖房ユニットと制振遮音材の間に、制振遮音材が放散する揮発性有機物質を封緘できるシートを介在するため、床暖房ユニット作動時に、制振遮音材に熱が伝達しても、制振遮音材から放散される揮発性有機物質を封緘するため、居住室内に制振遮音材が有する揮発性有機物質を放散させない効果を奏する。
【００１２】
また、制振遮音材の表面に、制振遮音材が放散する揮発性有機物質を封緘できるシートを予め積層することにより、施工時に余計な手間を掛けることなく、従来通りの施工で、居住室内に制振遮音材が有する揮発性有機物質が放散しない効果を奏する。
【００１３】
また、制振遮音材が放散する揮発性有機物質を封緘できるシートが、金属箔または金属を蒸着した樹脂フィルムあるいはガスバリア性を有する樹脂被膜であることを特徴とすることにより、制振遮音材に含まれる揮発性有機物質を封緘する構造とした。
【００１４】
また、制振遮音材が、アスファルトをバインダーであることを特徴とすることにより、アスファルトの優れた制振特性により、より階下に対する床衝撃音を低減させる効果を奏する。
【００１５】
また、少なくとも床暖房ユニットの下面側に制振遮音材が位置する床の施工方法について、制振遮音材が放散する揮発性有機物質を封緘できるシートを予め積層した制振遮音材を突付けで施工し、制振遮音材間の突付け部に、金属箔または金属を蒸着した樹脂フィルムあるいはガスバリア性を有する樹脂被膜裏面に粘着剤を塗布したテープを貼着することを特徴とすることにより、制振遮音材の突き付け部分から放散される揮発性有機物質を封緘することができ、より、居住室内に制振遮音材が有する揮発性有機物質が放散しない施工方法とした。
【図面の簡単な説明】
【００１６】
【図１】本発明の床構造を示す断面図である。
【図２】本発明の床構造を示す他の例を示す断面図である。
【図３】本発明の床構造に用いる制振遮音材の一例の断面図である。
【発明を実施するための形態】
【００１７】
以下、本発明の実施形態を図面に基づいて説明する。
【００１８】
本発明に使用する床暖房ユニットは、特に限定せず、ボイラーなどの熱源で水を温め温水を作り、床材下に設置したユニット内のパイプを循環させる温水式ユニットや、ユニット内の電熱線等のヒーターを利用した電気式ユニットが使用できる。
【００１９】
制振遮音材が放散する揮発性有機物質を封緘できるシートは、金属箔または金属を蒸着した樹脂フィルムあるいはガスバリア性を有する樹脂被膜であれば特に限定しない。厚さは、使用する材料により異なるが、１０〜１００μｍの範囲内で選択可能である。それらは単独でまたは複数枚積層したものが使用できる。
【００２０】
制振遮音材は特に限定はしないが、バインダーと無機充填剤を混合した板状とし、比重と厚みの積である面密度が、４ｋｇ／ｍ２以上のものが好ましい。バインダーの種類としては、ゴムやポリ塩化ビニルなどの合成樹脂、アスファルトを使用することができる。最も好ましいバインダーとしてアスファルトが挙げられる。その理由として、アスファルトの優れた制振特性と、無機充填剤が多量に充填可能なので面密度の確保が容易である。
【００２１】
特に、アスファルトをバインダーとした場合、アスファルト１００重量部に熱可塑性ポリマー０〜１００重量部、無機充填剤１００〜２０００重量部を添加後均一に混合して得られたものを使用できる。熱可塑性ポリマーを添加する場合には、アスファルトとポリマーをあらかじめ混合したものに無機充填剤を加えるようにしてもよい。熱可塑性ポリマーは、制振遮音材に可撓性を付加させる場合に添加する。使用されるアスファルトとしては特に制限はなく、一般にアスファルトと呼ばれるもの、例えば天然アスファルト、ならびにストレートアスファルト、ブローンアスファルト等の石油アスファルトが使用される。これらのアスファルトは単独で又は２種以上の混合物として使用することができる。  
【００２２】
熱可塑性ポリマーとしては、ポリオレフィン、ポリ塩化ビニル、ナイロン、エチレン・酢酸ビニル共重合体、エチレン・アクリル酸共重合体、エチレン・アクリル酸メチル共重合体、エチレン・アクリル酸エチル共重合体、スチレン・ブタジエン共重合体、天然ゴム、天然ロジン、変性ロジン等を使用することができるが、特にスチレン・ブタジエンブロック共重合体を使用することが好ましい。            
【００２３】
無機充填剤としては、鉄、銅、錫、亜鉛、ニッケル、ステンレス鋼等の金属粉体、酸化鉄、三二酸化鉄、四三酸化鉄、フェライト、酸化錫、酸化亜鉛、酸化銅、酸化アルミニウム等の金属酸化物、硫酸バリウム、硫酸カルシウム、硫酸アルミニウム、亜硫酸カルシウム、炭酸カルシウム、炭酸バリウム、水酸化マグネシウム等の金属塩類、製鋼スラグ、マイカ、クレー、タルク、亜鉛華、ウォラストナイト、けい藻土、けい砂、軽石粉等を使用することができ、これらは単独で又は２種以上を混合して使用することができる。
【００２４】
好ましい無機充填剤としては、鉄粉、各種酸化鉄粉末、製鋼スラグ粉末、炭酸カルシウム、重炭酸カルシウム等が挙げられ、これらは粒径１．０ｍｍ以下、特に０．２ｍｍ以下の粉末として使用することが好ましい。このように微粉末化された無機充填剤を使用することにより、制振遮音材を製造する際の成形加工性を改善し、アスファルト基材中に多量の無機充填剤を均一に分散配合することができ、制振遮音材の面密度を高くすることが可能となるとともに、制振遮音材の感熱安定性を大きく向上させることができる。制振遮音材の面密度は４．０ｋｇ／ｍ２ 以上、好ましくは８．０ｋｇ／ｍ２以上である。
【００２５】
無機充填剤は、アスファルト１００重量部に対して１００〜２０００重量部添加されるが、無機充填剤の量が１００重量部より少ない場合には充分な制振遮音効果が得られず、また、２０００重量部を超える場合には全体がもろくなり形成が困難になる。
【００２６】
本発明の床構造であるが、図１に示すように少なくとも床暖房ユニットの下面側に制振遮音材が位置する床構造において、床暖房ユニットと制振遮音材の間に、制振遮音材が放散する揮発性有機物質を封緘できるシートを介在させる構造である。よって、制振遮音材を敷設することにより施工し、その上に、制振遮音材が放散する揮発性有機物質を封緘できるシートを敷設する。その際、制振遮音材との固定は、両面テープもしくはステープルなどの釘を使用する。なお、ステープル等の釘で固定した場合は、その穴からの揮発性有機物質の放散を防止する目的で、穴部分が覆われる大きさの金属箔または金属を蒸着した樹脂フィルムあるいはガスバリア性を有する樹脂被膜裏面に粘着剤を塗布したテープを貼着させることが好ましい。粘着剤は、揮発性有機物質の放散の少ないもの、例えばノンホルムアルデヒドタイプや有機溶剤を含まないエマルジョンタイプの粘着剤を使用するのが好ましい。例えば、図２のように、床暖房ユニットと制振遮音材の間に構造用合板などの板材が介在されている場合、制振遮音材が放散する揮発性有機物質を封緘できるシートは制振遮音材の表面側に位置させた方が、制振遮音材からの揮発性有機物質の放散を封緘するので好ましい。
【００２７】
また、図３のように、制振遮音材表面に制振遮音材が放散する揮発性有機物質を封緘できるシートを予め積層している場合は、制振遮音材を敷設し、その上に床暖房ユニット、または構造用合板などの材料、床暖房ユニットを施工する。その際、制振遮音材間の上面は、制振遮音材が放散する揮発性有機物質を封緘できるシートが位置していないため、金属箔または金属を蒸着した樹脂フィルムあるいはガスバリア性を有する樹脂被膜裏面に粘着剤を塗布したテープを貼着することにより、制振遮音材間からの揮発性有機物質の放散を封緘するので好ましい。
【００２８】
さらに、制振遮音材が全面施工される場合については、室内の壁部分と制振遮音材の突き合わせ部分に、金属箔または金属を蒸着した樹脂フィルムあるいはガスバリア性を有する樹脂被膜裏面に粘着剤を塗布したテープを貼着するか、また、床暖房敷設部分のみ本発明に用いる制振遮音材を敷設する場合は、その周辺部にも金属箔または金属を蒸着した樹脂フィルムあるいはガスバリア性を有する樹脂被膜裏面に粘着剤を塗布したテープを貼着することにより、より制振遮音材からの揮発性有機物質の放散を封緘できる。
【００２９】
制振遮音材に積層する制振遮音材が放散する揮発性有機物質を封緘できるシートは少なくとも床暖房ユニット側に積層するか、または、制振遮音材の両面に積層する。放散する揮発性有機物質を封緘できるシートを片面のみに積層する場合、もう片面には、紙や合成繊維からなる織布、不織布等を積層することができる。積層方法としては、制振遮音材表面に接着剤などで貼着させる方法や制振遮音材製造時に、バインダーとなるゴムやポリ塩化ビニルなどの合成樹脂、アスファルトを加熱させ、その接着性を有している間に積層する方法が挙げられる。特に、後者の方法であると、制振遮音材製造時に貼合可能であるので、特に好ましい。
【実施例】
【００３０】
本発明に用いる制振遮音材の実施例として、防水工事用アスファルト３種１００重量部、粒径０．５ｍｍ以下の酸化鉄粉４００重量部、２００メッシュ以下の炭酸カルシウム粉末４００重量部を均一に加熱、混合して、片面は厚さ２０μｍのポリエステルフィルムにアルミを蒸着したシートを、もう片面は、単位面積質量５０ｇ／ｍ２のポリエステルからなるスパンボンド不織布をアスファルトが接着性を有している間に貼合し制振遮音材を得た。
【００３１】
以上のことより、本発明により、床暖房ユニットの下面側に制振遮音材が位置する床構造において、床暖房ユニットと制振遮音材の間に、制振遮音材が放散する揮発性有機物質を封緘できるシートを介在させる、特に、制振遮音材表面に制振遮音材が放散する揮発性有機物質を封緘できるシートを積層することにより、床暖房ユニットの熱が制振遮音材に伝達しても、制振遮音材から放散される揮発性有機物質が封緘されることより、居住室内に制振遮音材からの揮発性有機物質が放散されることなく、床暖房使用時においても、快適な空気質環境を提供することができる。
【符号の説明】
【００３２】
１  床暖房ユニット
２  制振遮音材が放散する揮発性有機物質を封緘できるシート
３  制振遮音材
４  本発明の床構造
５  床材
６  床下地材
７  構造用合板などの板材
８  本発明の制振遮音材の表面に、制振遮音材が放散する揮発性有機物質を封緘できるシートを積層していることを特徴とする制振遮音材
【図１】
2011179277.tif 000003
【図２】
2011179277.tif 000004
【図３】
2011179277.tif 000005